(57)【要約】【課題】作業者の負担を軽減することができ、バケットを傾けずに雪を排出することができる機能を有し、長時間利用しても作業者を疲れさせない除雪具を提供する。【解決手段】一側面が開口された開口部８を有し、他側面は閉口された、曲成されたバケット体２を備え、当該バケット体２の表面に摺動規制部材（凸部３ａ）が形成されている片方向除雪具１０，２０であって、バケット体２をガイド面として、摺動規制部材（凸部３ａ）の規制によって雪が開口部８側へと摺動される。【選択図】図１
0003119604.tif 000002
【実用新案登録請求の範囲】
【請求項１】
一側面が開口された開口部を有し、他側面は閉口された、曲成されたバケット体を備え、当該バケット体の表面に摺動規制部材が形成されている片方向除雪具であって、
前記バケット体をガイド面として、前記摺動規制部材の規制によって雪が前記開口部側へと摺動される片方向除雪具。
【考案の詳細な説明】
【技術分野】
【０００１】
本考案は、流雪溝に雪を押し落としたり、一方向に雪を集積したりすることができる除雪具に関する。
【背景技術】
【０００２】
従来より、積雪地帯において除雪作業は多大な労力と時間を要する作業である。そして、除雪作業をするための除雪具といえば、雪を掻き分けて除雪を行うスコップタイプの除雪具や、雪を大量に押し進みながら抱えて運搬するバケットタイプの除雪具などがある。
【０００３】
例えば、特許文献１に記載の流雪溝用排雪器は、押柄の長さを長くして握持部を手で握持して雪を押動する際に腰を曲げなくともよい長さに構成したから、雪を押し落とす作業を楽に行うことができ、作業性が向上し、長時間使用しても疲れを感じない実用的なものを提供している。
【０００４】
【特許文献１】特開平１０−６０８４７号公報（段落番号［０００９］）
【考案の開示】
【考案が解決しようとする課題】
【０００５】
しかしながら、特許文献１に開示された流雪溝用排雪器は、道路の脇などに設けられている側溝に雪を押動する為のバケットタイプであり、バケット体の内部に雪を一定量以上積み込むと重量が重くなり、それ以上の雪を押すことが困難になる。また、側溝に雪を押し落とす際には、バケット体に積み込まれずに排雪器の前面で押している雪は、側溝にそのまま落とすことができるが、バケット体に積み込まれた雪は、バケットの角度を上げるために押柄を立てるように排雪器の角度を上げるようにするか、またはバケット体をひっくり返すように傾けないと、バケット体の中に残っている雪を全て押し落とすことができずに、作業者の負担になるといった問題があり、長時間利用すると疲れるものである。
【０００６】
本考案は、以上の点に鑑みてなされたものであり、その目的は、作業者の負担を軽減することができ、バケットを傾けずに雪を排出することができる機能を有し、長時間利用しても作業者を疲れさせない除雪具を提供することにある。
【課題を解決するための手段】
【０００７】
以上のような課題を解決するために、本考案は、以下のものを提供する。
【０００８】
（１）  一側面が開口された開口部を有し、他側面は閉口された、曲成されたバケット体を備え、当該バケット体の表面に摺動規制部材が形成されている片方向除雪具であって、前記バケット体をガイド面として、前記摺動規制部材の規制によって雪が前記開口部側へと摺動される片方向除雪具。
【０００９】
本考案によれば、一側面が開口された開口部を有し、他側面は閉口されたバケット体が設けられ、このバケット体の表面に摺動規制部材が形成されている片方向除雪具であって、バケット体をガイド面として、摺動規制部材の規制によって雪が開口部へと摺動されるようにしたので、作業者の負担を軽減させることができる。
【００１０】
すなわち、片方向除雪具を前方に押動すると、バケット体に雪が取り入れられるが、取り入れられた雪は、バケット体の曲成された面をガイド面として、摺動規制部材の規制によって開口部へと摺動していくので、一定量以上の雪をバケット体に溜めることなく排出することができ、ひいては作業者の負担を軽減させることができる。
【００１１】
特に、本考案では、バケット体内部の雪を両方向から排出するのではなく、他側面が閉口されたバケット体を利用して片方向から排出するようにしている。これにより、例えば、流雪溝がバケット体の開口部側にくるようにして、片方向除雪具を流雪溝と並行して押動することによって、雪を適切に流雪溝に落とすことができる。この点、両方向から排出するタイプの除雪具では、開口部側だけでなく、その反対側からも雪が排出されることから、雪を適切に流雪溝に落とすことはできない（流雪溝と反対側に雪が散らばってしまう）。
【００１２】
また、バケット体の開口部から雪を順次排出することとしているので、従来のように、バケット体に積まれた雪を外部に排出するために、除雪具の角度を上げたり、またはバケット体をひっくり返すように傾けたりする必要がなく、この点でも作業者の負担を軽減しうるものとなっている。
【００１３】
ここで、「曲成された」バケット体には、湾曲状に形成されたバケット体は勿論のこと、Ｓ字形状に形成されたバケット体や、塵取りのようなＬ字形状に形成されたバケット体、くの字型に折れ曲がったバケット体などが含まれ、その形状・大きさの如何は問わない。
【考案の効果】
【００１４】
以上説明したように、本考案は、摺動規制部材の規制によって、雪を摺動して排出することができるので、一定量以上の雪をバケット体に溜めることなく排出することができ、ひいては作業者の負担を軽減させることができる。また、除雪具の角度を上げるたり、バケット体をひっくり返すように傾けたりしなくても、バケット体に積み込まれた雪を外部に排出することができるので、長時間利用しても疲れをほとんど感じることなく除雪作業をすることができる。
【考案を実施するための最良の形態】
【００１５】
以下、本考案を実施するための最良の形態について、図面に基づいて説明する。
【００１６】
［外観構成］
図１は、本考案の実施の形態に係る片方向除雪具１０，２０の斜視図である。特に、図１（ａ）に示す片方向除雪具１０では、把持部材１からみて右側の側面が閉口板７によって閉口されており、図１（ｂ）に示す片方向除雪具２０では、把持部材１からみて左側の側面が閉口板７によって閉口されている。
【００１７】
図１（ａ）及び図１（ｂ）において、片方向除雪具１０，２０は、主に、把持部材１と、バケット体２と、閉口板７と、から構成されている。
【００１８】
把持部材１は、作業者が除雪作業を行う際に手で握る部分である。把持部材１には、凸条（図示せず）が形成されていてもよい。雪の除雪作業は、寒い野外での作業なので、作業者の多くは軍手やグローブなどをはめており、素手での作業より滑りやすい。そこで、把持部材１に凸条を形成することによって、把持部を握る手が前方向や横方向に滑るのを防止することができる。
【００１９】
バケット体２は、曲成されており、その一側面には開口された開口部８が形成されている。片方向除雪具１０又は片方向除雪具２０を押動してバケット体２に取り込まれた雪は、バケット体２の凸部３ａから平坦部３ｂに向けて摺動し、開口部２から外部へ排出される。バケット体２の材質は合成樹脂であり、このような軽い材質とすることによって、片方向除雪具１０，２０全体の総重量を軽量化でき、ひいては作業者への負担を減らすことができる。なお、その他バケット体２の材質としては、プラスチック，アルミニウム，チタン，合成樹脂など様々なものが挙げられる。また、バケット体２の上部は手前方向に曲成されたカバー（図示せず）が形成されるようにしてもよい。かかるカバーによって、バケット体下部から取り込まれた雪がバケット体上部から押し出されることなく、曲成面に沿ってバケット体下部方向に落とされる。よって、後述する摺動規制部材によっても開口部８側へと摺動されずにバケット体上部に達した雪が、バケット体下部方向に落とされ、再度摺動規制部材による規制を受けることとなるので、雪を開口部８から排出する実効性が担保される。
【００２０】
開口部８は、バケット体２の内部に集められた雪を排出するためのものである一方で、閉口板７は、バケット体２の内部に集められた雪が開口部８と逆の方向から排出されないようにするためのものである。なお、本実施の形態では、開口部８については、一側面全てを開口させているが、一側面の一部を開口させても構わない。
【００２１】
図２は、図１に示す片方向除雪具１０，２０を真正面から見た図（概略図）である。特に、図２（ａ）は、図１（ａ）に示す片方向除雪具１０を真正面から見た図であって、図２（ｂ）は、図１（ｂ）に示す片方向除雪具２０を真正面から見た図である。
【００２２】
図２において、片方向除雪具１０，２０のバケット２は、それぞれ左方，右方が盛り上がっており、凸部３ａが形成されている。一方で、それぞれ右方，左方が平坦になっており、平坦部３ｂが形成されている。より具体的には、図３に示すように、図２（ａ）に示す片方向除雪具１０のバケット体２をＡ−Ａ'で切断したときには、逆Ｓ形状となり（図３（ａ）参照）、図２（ａ）に示す片方向除雪具１０のバケット体２をＢ−Ｂ'で切断したときには、波形状となる（図３（ｂ）参照）。
【００２３】
図２及び図３を用いて、片方向除雪具１０，２０の機械動作について詳述する。
【００２４】
片方向除雪具１０，２０を前方（図２において紙面の手前）に押動すると、雪がバケット体２に取り込まれる。このとき、バケット体２に形成された凸部３ａによって、雪は、凸部３ａから平坦部３ｂへと摺動しながら移動する（図２の矢印参照）。そして、片方向除雪具１０，２０を更に前方に押動すると、雪は、開口部８から外部へ排出される。このように、バケット体２の表面に形成された凸部３ａは、摺動規制部材の一例として機能する。
【００２５】
以上説明したように、図１〜３に示す片方向除雪具１０，２０によれば、流雪溝がバケット体２の開口部８側にくるようにして、片方向除雪具１０，２０を流雪溝と並行して押動することによって、雪を適切に流雪溝に落とすことができる。また、バケット体２に積まれた雪を外部に排出するために、バケット体２を傾けたりする必要はない。その結果、作業者の負担を軽減することができる。
【００２６】
［変形例］
図４及び図５は、本考案の他の実施の形態に係る片方向除雪具３０，４０の斜視図である。特に、図４及び図５に示す片方向除雪具３０，４０は、片方向除雪具のバケット体２表面に、開口部８側へ下る凸条４、又は開口部側へ流れる凸条４が形成されたものである。なお、図１に示す片方向除雪具１０，２０と同様に、凸部や平坦部が形成されていても構わない。また、本実施形態ではバケット体２表面に凸条４を設けることとしたが、例えば、凹状の溝であっても構わない。
【００２７】
図４及び図５に示す片方向除雪具３０，４０によれば、上述した片方向除雪具１０，２０と同様に、凸条４の規制によって、雪を適切に開口部８から排出することができ、また、バケット体２に積まれた雪を外部に排出するために、バケット体２を傾けたりする必要はないので、作業者の負担を軽減することができる。
【００２８】
図６は、本考案の他の実施の形態に係る片方向除雪具５０の平面図である。
【００２９】
図６に示すように、片方向除雪具５０は、右側に開口部８ａを有する片方向除雪具５０ａ（例えば、図４に示す片方向除雪具３０を１８０度回転させた状態）と、左側に開口部８ｂを有する片方向除雪具５０ｂ（例えば図４に示す片方向除雪具４０）と、を組み合わせて、選択的に一方向に雪を摺動することができるようになっている。
【００３０】
より具体的には、作業者は把持部材１を握って、図６中の上方向に片方向除雪具５０を移動させると、バケット体２ａに取り込まれた雪は開口部８ａから排出される一方で、図６中の下方向に片方向除雪具５０を移動させると、バケット体２ｂに取り込まれた雪は開口部８ｂから排出される。このように、図６に示す片方向除雪具５０によれば、作業者の負担を軽減させつつ、利便性や効率性を向上させることができる。
【産業上の利用可能性】
【００３１】
本考案に係る片方向除雪具は、除雪作業に関する作業者の負担を軽減しうるものとして有用である。
【図面の簡単な説明】
【００３２】
【図１】本考案の実施の形態に係る片方向除雪具の斜視図である。
【図２】図１に示す片方向除雪具を真正面から見た図（概略図）である。
【図３】図２（ａ）に示す片方向除雪具の切断面図である。
【図４】本考案の他の実施の形態に係る片方向除雪具の斜視図である。
【図５】本考案の他の実施の形態に係る片方向除雪具の斜視図である。
【図６】本考案の他の実施の形態に係る片方向除雪具の平面図である。
【符号の説明】
【００３３】
１    把持部材
２    バケット体
３ａ  凸部
３ｂ  平坦部
４    凸条
７    閉口板
８    開口部
１０〜５０  片方向除雪具
【図１】
0003119604.tif 000003
【図２】
0003119604.tif 000004
【図３】
0003119604.tif 000005
【図４】
0003119604.tif 000006
【図５】
0003119604.tif 000007
【図６】
0003119604.tif 000008